(57)【特許請求の範囲】
【請求項１】
スイッチボックスを用いて埋込配設されるとともに信号線を介して照明器具に接続される照明制御装置であって、
ハウジングと、前記ハウジングの外面において前記スイッチボックスの内面に向けられる平坦な部位に固定されて前記信号線が接続される端子台とを備え、
前記端子台は、前記ハウジングに固定されたベースと、前記ベースに対して固定され前記信号線が接触導通する端子板と、前記信号線を前記端子板に接触した状態に保持する接触保持手段とを有し、
前記ベースは、前記平坦な部位に直交する方向から見た前記端子板から突出する部位が、前記平坦な部位に沿った方向から見て、前記端子板から離れるほど、前記ハウジングからの突出寸法を小さくする方向に傾斜した傾斜面が設けられ、
前記傾斜面は平面であって、前記ハウジングは、前記傾斜面が延長された平面から突出しない形状とされており、
前記端子板において前記信号線が接触する面と前記傾斜面とが鈍角をなし、且つ、前記ベースにおいて前記傾斜面に連続する端面と前記傾斜面とが鈍角をなすことを特徴とする照明制御装置。
【請求項２】
前記ベースにおいて前記傾斜面に連続する前記端面は、前記ハウジングの前記平坦な部位に直交する平面とされていることを特徴とする請求項１記載の照明制御装置。
【請求項３】
前記ハウジングにおいて前記端子台から離れた位置には、外部装置への接続に用いられるレセプタクルが保持されていることを特徴とする請求項１記載の照明制御装置。
【発明の詳細な説明】
【技術分野】
【０００１】
本発明は、照明制御装置に関するものである。
【背景技術】
【０００２】
従来から、スイッチボックスを用いて壁面等の施工面に埋込配設され、複数個の照明器具の制御に用いられる照明制御装置が提供されている（例えば、特許文献１参照）。
【０００３】
この種の照明制御装置は、一端が照明器具に接続された信号線の他端が接続される複数個の端子を有する。上記の信号線は、スイッチボックスの内面に設けられた貫通穴を通じて、施工面内（厳密には、施工面を構成する壁材等と造営材との間に設けられた配線用の空間内）に引き出される。
【先行技術文献】
【特許文献】
【０００４】
【特許文献１】特許第２９９２３８３号公報
【発明の概要】
【発明が解決しようとする課題】
【０００５】
照明制御装置の外形によっては、照明制御装置の外面とスイッチボックスの内面との間の隙間が小さくなり、信号線の引き回しが困難となる可能性がある。
【０００６】
本発明は、上記事由に鑑みて為されたものであり、その目的は、信号線の引き回しが容易な照明制御装置を提供することにある。
【課題を解決するための手段】
【０００７】
本発明の照明制御装置は、スイッチボックスを用いて埋込配設されるとともに信号線を介して照明器具に接続される照明制御装置であって、ハウジングと、前記ハウジングの外面において前記スイッチボックスの内面に向けられる平坦な部位に固定されて前記信号線が接続される端子台とを備え、前記端子台は、前記ハウジングに固定されたベースと、前記ベースに対して固定され前記信号線が接触導通する端子板と、前記信号線を前記端子板に接触した状態に保持する接触保持手段とを有し、前記ベースは、前記平坦な部位に直交する方向から見た前記端子板から突出する部位が、前記平坦な部位に沿った方向から見て、前記端子板から離れるほど前記ハウジングからの突出寸法を小さくする方向に傾斜した傾斜面が設けられ、前記傾斜面は平面であって、前記ハウジングは、前記傾斜面が延長された平面から突出しない形状とされており、前記端子板において前記信号線が接触する面と前記傾斜面とが鈍角をなし、且つ、前記ベースにおいて前記傾斜面に連続する端面と前記傾斜面とが鈍角をなすことを特徴とする。
【０００９】
また、上記の照明制御装置において、前記ベースにおいて前記傾斜面に連続する端面は、前記ハウジングの前記平坦な部位に直交する平面とされていることが望ましい。
【００１０】
さらに、上記の照明制御装置において、前記ハウジングにおいて前記端子台から離れた位置には、外部装置への接続に用いられるレセプタクルが保持されていることが望ましい。
【発明の効果】
【００１１】
本発明によれば、傾斜面が設けられない場合に比べ、スイッチボックスの内面とベースとの間の空間が大きくなるから、スイッチボックス内での信号線の引き回しが容易となる。
【図面の簡単な説明】
【００１２】
【図１】本発明の要部を示す断面図である。
【図２】同上の使用形態の一例を示す説明図である。
【図３】同上を示すブロック図である。
【図４】同上を示す分解斜視図である。
【図５】同上を示し、（ａ）は正面図、（ｂ）は平面図、（ｃ）は右側面図である。
【図６】同上の要部を示す後面図である。
【図７】同上がスイッチボックスに取り付けられた状態を示す断面図である。
【図８】同上の変更例の要部を示す後面図である。
【発明を実施するための形態】
【００１３】
以下、本発明を実施するための最良の形態について、図面を参照しながら説明する。
【００１４】
図２に示すように、本実施形態の照明制御装置１は、複数個の照明器具２１に、それぞれ信号線２２を介して接続して用いられる。
【００１５】
各照明器具２１は、信号線２２を介して入力された制御信号に応じた光出力で電気的な光源（図示せず）を点灯させるものであり、接続された信号線２２毎に制御される。上記のような照明器具２１は周知技術で実現可能であるので、詳細な図示並びに説明は省略する。
【００１６】
また、照明制御装置１は、信号線２２を介してリレー２３に接続されることで、リレー２３を制御することも可能となっている。上記のリレー２３は、電源ＡＣから負荷Ｚ（例えば看板灯）への給電路に挿入され、信号線２２を介して入力された駆動信号に応じて負荷Ｚへの給電をオンオフする、いわゆる電磁リレーである。上記のようなリレー２３は周知技術で実現可能であるので、詳細な図示並びに説明は省略する。
【００１７】
照明制御装置１は、図３に示すように、信号線２２を介して各照明器具２１（図３では１個のみ図示）に接続される照明接続部１１と、信号線２２を介してリレー２３に接続されるリレー接続部１２と、照明接続部１１とリレー接続部１２とをそれぞれ制御する制御部１３とを備える。
【００１８】
照明接続部１１は、例えば制御部１３の制御に従って制御信号を生成する電子回路である。制御信号は例えば指示する光出力に応じたオンデューティの矩形波（いわゆるＰＷＭ信号）である。また、リレー接続部１２は、例えば制御部１３の制御に従って駆動信号を生成する電子回路である。上記のような照明接続部１１やリレー接続部１２は周知技術で実現可能であるので、詳細な図示並びに説明は省略する。また、制御部１３は例えばマイコンと適宜のメモリとで実現することができる。
【００１９】
さらに、照明制御装置１は、操作入力を受け付ける操作部１４と、各種の表示を行う表示部１５とを備える。操作部１４は例えば複数個の押釦スイッチを用いて実現することができ、表示部１５は例えば液晶パネルや発光ダイオードを用いて実現することができる。制御部１３は、操作部１４に受け付けられた操作入力や、予め記憶されたプログラムに応じて、照明接続部１１やリレー接続部１２や表示部１５を制御する。
【００２０】
また、照明制御装置１は、ＬＡＮケーブル２４を介して上位端末２５に接続される端末接続部１６を有し、制御部１３は、上位端末２５からの入力に応じて照明器具２１等の制御や上記のプログラムの変更等が可能となっている。上記のような端末接続部１６としては例えば周知のネットワークカードと同様の電子回路を用いることができる。
【００２１】
次に、機械的な構造について説明する。照明制御装置１は、図４に示すように、壁面３１に設けられた埋込穴３０に、スイッチボックス３２を用いて埋込配設される。
【００２２】
照明制御装置１は、スイッチボックス３２内に挿入される直方体形状の本体部４１と、本体部４１においてスイッチボックス３２外に露出する面（以下、「前面」と呼ぶ。）に沿って本体部４１の全周に突出しスイッチボックス３２の前端にねじ止めされる鍔部４２とを有するハウジング４を備える。図３に示した各部はハウジング４の本体部４１に収納および保持される。照明制御装置１に接続された信号線２２等は、スイッチボックス３２の側面に設けられた引出穴３２０を通じて引き出され、壁面３１を構成する壁材と造営材（図示せず）との間に設けられた配線スペース内に引き回される。
【００２３】
また、ハウジング４には、図５に示すように前方から見て鍔部４２を覆って見栄えを改善するカバー５が被着される。カバー５をハウジング４に結合させる手段としては、嵌合や凹凸係合といった周知の手段を用いることができる。以下、上下左右は図５（ａ）を基準として説明する。すなわち、ハウジング４の前面の長手方向を左右方向と呼ぶ。
【００２４】
さらに、ハウジング４の本体部４１においてスイッチボックス３２の内面に向けられる面である後面の上端に設けられた平坦な部位には、２個の端子台６が固定されている。
【００２５】
各端子台６は、それぞれ、ハウジング４に固定されたベース６１と、ベース６１に対して固定され信号線２２が接触導通する端子板６２と、信号線２２を端子板６２の後面に接触した状態に保持する接触保持手段としての端子ねじ６３とを有する、いわゆるねじ端子である。端子板６２と端子ねじ６３との組は端子台６毎に左右に並べて複数組（図では８組）ずつ設けられている。ベース６１をハウジング４に固定する方向としては、例えばねじ止めを用いることができる。
【００２６】
ベース６１は例えば合成樹脂のような絶縁材料からなり、端子板６２間を仕切る仕切り壁６１１を有する。
【００２７】
一方（例えば右側）の端子台６において各端子板６２はそれぞれ照明接続部１１に電気的に接続され、他方（例えば左側）の端子台６において各端子板６２はそれぞれリレー接続部１２に電気的に接続されている。
【００２８】
ここで、図１に示すように、ベース６１において後方から見て端子板６２から上方に突出する部位には、端子板６２から離れるほどハウジング４からの突出寸法を小さくする方向に傾斜した傾斜面６１０が設けられている。
【００２９】
上記の傾斜面６１０は平面であって、ハウジング４は、図１に破線６０で示すように傾斜面６１０が延長された平面から外側には突出しない形状とされている。
【００３０】
また、ベース６１において、傾斜面６１０の端であってハウジング４の後面からの突出寸法が最も小さい側の端に連続する端面（上端面）６１２は、ハウジング４の後面に直交する平面とされている。
【００３１】
さらに、ハウジング４の後面の右端部には、例えば圧着端子からなり接地線が接続される接地端子４３が設けられている。さらに、接地端子４３の下側には、図６に示すようにレセプタクル４４が保持されている。レセプタクル４４は、一端が外部装置としての上位端末２５に接続されたＬＡＮケーブル２４の他端に設けられたプラグ（図示せず）が挿入接続されるものであり、端末接続部１６に電気的に接続されている。つまり、レセプタクル４４は、上記のプラグとともに周知のＬＡＮコネクタを構成するものであり、ジャックとも呼ばれる。信号線２２とＬＡＮケーブル２４との間での輻射ノイズの出入りを抑えるためには、レセプタクル４４はなるべく端子台６から離して配置されることが望ましい。
【００３２】
上記構成によれば、傾斜面６１０が設けられない場合に比べ、スイッチボックス３２の内面とベース６１との間の空間が大きくなるから、スイッチボックス３２内での信号線２２の引き回しが容易となる。
【００３３】
また、本実施形態では、端子板６２において信号線２２が接触する面である後面と傾斜面６１０とが鈍角をなし、且つ、ベース６１の端面６１２も傾斜面６１０との間に鈍角をなす。これにより、ベース６１において信号線２２が引き出される方向の端に直角や鋭角の角が形成される場合に比べ、図７に示すように傾斜面６１０に沿って引き出される信号線２２に対して機械的なストレスを与えにくいから、信号線２２の断線が発生しにくい。
【００３４】
さらに、端子台６の個数は２個に限られず、例えば、図８に示すように、左端（後方から見て右端）に端子台６を追加してもよい。
【符号の説明】
【００３５】
１  照明制御装置
４  ハウジング
２１  照明器具
２２  信号線
２５  上位端末（外部装置）
３２  スイッチボックス
４４  レセプタクル
６１  ベース
６２  端子板
６３  端子ねじ
６１０  傾斜面
６１２  端面
【図１】
0005895234.tif 000002
【図２】
0005895234.tif 000003
【図３】
0005895234.tif 000004
【図４】
0005895234.tif 000005
【図５】
0005895234.tif 000006
【図６】
0005895234.tif 000007
【図７】
0005895234.tif 000008
【図８】
0005895234.tif 000009